(57)【特許請求の範囲】
【請求項１】
原水を供給する水栓に付設されて、原水を吐水する水路、または原水を原水の処理を行う処理ユニットに給水する水路、に切替える切替ユニットを有し、切替ユニットには、処理ユニットを無線操作する操作部を取り外し自在に備え、切替ユニットの水路が、原水を処理ユニットに給水する水路に切替えられることで、操作部の取り外しが阻止されるようになし、切替ユニットには、原水の水路の切替を操作する操作レバーを備え、操作部には、操作部を取り外す際に、手を掛ける手掛け部を設け、操作レバーが、原水を処理ユニットに給水する水路に切替えられることで、操作レバーによって手掛け部が隠れることにより、操作部の取り外しが阻止されるようになしたことを特徴とする水処理装置。
【請求項２】
操作部が切替ユニットに磁着されるようになしたことを特徴とする請求項１記載の水処理装置。
【請求項３】
切替ユニットには、操作部が装着される有底の凹所を備え、操作部には、電池を収納する収納部を設け、有底の凹所に操作部が装着された際に、収納部が有底の凹所の底部と対向するように配置されたことを特徴とする請求項１または２記載の水処理装置。
【請求項４】
操作部には、切替えられた水路を表示する表示部を備え、操作部を切替ユニットから取り外すことで、表示部の内側が開口して、表示部の内側を清掃することが可能となることを特徴とする請求項１から３のいずれか1項に記載の水処理装置。
【発明の詳細な説明】
【技術分野】
【０００１】
本願発明は、水道水等の原水を処理して、生成された処理水を供給する水処理装置に関するものである。
【背景技術】
【０００２】
水処理装置においては、水道水等の原水を供給するために台所や厨房等の流し台に設けられた水栓に付設され、上記原水の水路を切替える切替ユニットと、この切替ユニットから処理ユニットへ給水された原水を処理して、電解水やミネラル水、または浄水等の所定の水質の処理水を生成する処理ユニットとを有している。
【０００３】
また、上記切替ユニットには、原水の水路の切替えを操作する切替レバーと、処理ユニットを無線操作するための操作部とを備えており、この操作部は、切替ユニットから取り外し自在に設けられている。
【０００４】
上記の構成において、使用者が切替ユニットの操作部に設けられたスイッチにより、所定の水質を設定すると、その設定内容が無線信号により切替ユニットから処理ユニットへ送信される。
【０００５】
そして、使用者が切替レバーを操作して原水の水路を切替え、水栓を開くことにより、原水が切替ユニットから処理ユニットに給水され、この処理ユニットにおいて、原水が上記操作部で設定された水質に処理されることで処理水が生成され、その処理水を処理ユニットから切替ユニットに返送し、さらに切替ユニットから処理水を吐水させることができる水処理装置が提案されている（特許文献１参照）。
【特許文献１】特開平１１−２７７０４６号公報
【発明の開示】
【発明が解決しようとする課題】
【０００６】
しかしながら上記背景技術の特許文献１に記載の水処理装置においては、切替レバーの切替え位置にかかわらず、操作部を切替ユニットの装着部から取り外すことができるように構成されている。
【０００７】
このため、処理ユニットにおいて生成された所定の水質の処理水が、切替ユニットから吐水されているとき、すなわち処理ユニットが運転状態にあるときに、例えば使用者が、操作部の清掃を行う場合や、操作部の電源に用いられる電池を交換する場合等に、操作部を切替ユニットから取り外す際に、使用者が事前に設定したスイッチ以外のスイッチを、誤って押してしまうことがあった。
【０００８】
この操作部のいわゆる誤操作により、例えば使用者が設定した水質とは異なる水質の処理水が、処理ユニットにおいて生成され、切替ユニットから吐水されてしまうという問題が生じていた。
【０００９】
本願発明はこのような上記背景技術の課題を解決するものであり、原水の水路が、原水を処理ユニットに給水する水路に切替えられた際においては、操作部の取り外しが阻止されるようにすることにより、操作部の誤操作を防止できる水処理装置を提供することを目的とする。
【課題を解決するための手段】
【００１０】
上記課題を解決するために、本願請求項１記載の発明は、原水を供給する水栓に付設されて、原水を吐水する水路、または原水を原水の処理を行う処理ユニットに給水する水路、に切替える切替ユニットを有し、切替ユニットには、処理ユニットを無線操作する操作部を取り外し自在に備え、切替ユニットの原水の水路が、原水を処理ユニットに給水する水路に切替えられることで、操作部の取り外しが阻止されるようにしている。
【００１１】
また、本願請求項１記載の発明は、切替ユニットには、原水の水路の切替を操作する操作レバーを備え、操作部には、操作部を取り外す際に、手を掛ける手掛け部を設け、操作レバーが、原水を処理ユニットに給水する水路に切替えられることで、操作レバーによって手掛け部が隠れることにより、操作部の取り外しが阻止されるようになしたことを特徴としている。
【００１２】
本願請求項２記載の発明は、上記請求項1記載の水処理装置において、操作部が切替ユニットに磁着されるようになしたことを特徴としている。
【００１３】
本願請求項３記載の発明は、上記請求項１または２記載の水処理装置において、切替ユニットには、操作部が装着される有底の凹所を備え、操作部には、電池を収納する収納部を設け、有底の凹所に操作部が装着された際に、収納部が有底の凹所の底部と対向するように配置されたことを特徴としている。
【００１４】
本願請求項４記載の発明は、上記請求項１から３のいずれか1項に記載の水処理装置において、操作部には、切替えられた水路を表示する表示部を備え、操作部を切替ユニットから取り外すことで、表示部の内側が開口して、表示部の内側を清掃することが可能となることを特徴としている。
【発明の効果】
【００１５】
本願請求項１記載の発明の水処理装置においては、切替ユニットの原水の水路が、原水を処理ユニットに給水する水路に切替えられた際においては、操作部の取り外しが阻止されるようにすることにより、操作部の誤操作を防止して、使用者が設定した水質の処理水を、常時供給できる水処理装置を提供することができる。
【００１６】
また、本願請求項１記載の発明の水処理装置においては、特に、原水の水路の切替を操作する操作レバーの切替え位置が、原水を処理ユニットに給水する水路に切替えられた際においては、操作部を取り外す際に手を掛ける手掛け部が、切替レバーにより隠れるようにされているため、簡単な構成で操作部の取り外しを阻止することにより、操作部の誤操作を確実に防止することができる。
【００１７】
本願請求項２記載の発明の水処理装置においては、特に、操作部を切替ユニットに磁着することにより、操作部を切替ユニットから容易に取り外すことができるとともに、容易に装着することができ、かつ切替ユニットに装着された操作部が脱落することを防止できる。
【００１８】
本願請求項３記載の発明の水処理装置においては、特に、切替ユニットに、操作部が装着される有底の凹所を備え、この有底の凹所に操作部が装着された際に、操作部の電池の収納部を有底の凹所の底部と対向するように配置することで、切替ユニットの下方から飛散してきた水による、上記収納部への被水を防止するとともに、切替ユニットの上方から飛散してきた水についても、収納部への被水を防止できるために、収納部の防水性を高めることができる。
【００１９】
本願請求項４記載の発明の水処理装置においては、特に、操作部に切替えられた水路を表示する表示部を備えている場合に、操作部を切替ユニットから取り外した際において、表示部の内部が開口することで表示部の内部を清掃できるために、表示部に表示された水路を常時確実に確認することができる。
【発明を実施するための最良の形態】
【００２０】
図１から９は、本願発明の第１の実施形態である水処理装置を示している。この水処理装置は図１から９に示すように、原水を供給する水栓１に付設されて、原水を吐水する水路、または原水を原水の処理を行う処理ユニット３に給水する水路、に切替える切替ユニット２を有し、切替ユニット２には、処理ユニット３を無線操作する操作部５を取り外し自在に備え、切替ユニット２の原水の水路が、原水を処理ユニット３に給水する水路に切替えられることで、操作部５の取り外しが阻止されるようにしている。
【００２１】
また、切替ユニット２には、原水の水路の切替を操作する操作レバー４を備え、操作部５には、操作部５を取り外す際に、手を掛ける手掛け部としての凸部３５を設け、操作レバー４が、原水を処理ユニット３に給水する水路に切替えられることで、操作レバー４によって手掛け部としての凸部３５が隠れることにより、操作部５の取り外しが阻止されるようにしている。
【００２２】
以下、この実施形態の水処理装置をより具体的詳細に説明する。図１から３に示すように、台所や厨房の流し台に設けられ、水道水等の原水を給水するとともに、使用者が手動で開閉する水栓１があり、この水栓１の先には切替ユニット２が設けられていて、使用者が切替ユニット２の切替部としての切替レバー４を切替えることにより、原水を切替ユニット２に接続された給水管７により、処理ユニット３へ給水することができる。
【００２３】
切替ユニット２の上部には、切替ユニット２を水栓１へ接続するための接続口８が設けられていて、この接続口８はナット９により水栓１に固定されている。
【００２４】
また、切替ユニット２の前部には、処理ユニット３を操作する操作部５が設けられており、操作部５の上部には、所定の水質を設定する複数のスイッチ１０と、スイッチ１０により設定された内容を処理ユニット３へ無線送信する送信部１１と、透明の樹脂等からなり切替えられた水路を表示する表示部１２とが設けられていて、切替ユニット２の側部から操作部５の前方側には、原水の水路を切替えるための切替レバー４が設けられている。
【００２５】
さらに、切替ユニット２の下部には、切替レバー４により原水の水路が切替えられた際に、原水をそのまま吐水するストレート口１３と、原水をシャワー状にして吐水するシャワー口１４、および処理ユニット３から返送された処理水を吐水する吐水口１５が配置されている。
【００２６】
そして、切替ユニット２の後部には、給水管７が接続される給水口１６と、処理ユニット３から切替ユニット２へ処理水を返送する返送管１７が接続される返送口１８とが設けられており、給水管７と返送管１７は、ナット９によりそれぞれ給水口１６と返送口１８とに固定されている。
【００２７】
次に、処理ユニット３内には、原水の浄水処理を行う浄水部１９と、浄水部１９において浄水処理された原水を電気分解して、アルカリイオン水および酸性イオン水を生成する電解槽２０と、電解槽２０に印加する電解電圧等を制御する制御部２１とが設けられている。
【００２８】
処理ユニット３の上部には、制御部２１に接続され、操作部５より送信された無線信号を受信する受信部２２が設けられていて、上記制御部２１には、制御部２１に電源を供給する電源コード２３が接続されている。
【００２９】
給水管７により処理ユニット３に給水された原水は、給水管７に接続された導入管２４により処理ユニット３内に導入されるが、この導入管２４の途中には、原水に含まれる残留塩素や濁りまたはトリハロメタン等を除去して浄水処理を行うための活性炭や、中空糸膜等が内蔵された浄水部１９と、浄水部１９において、浄水処理された浄水の流量を検知して制御部２１に送信する、流量センサ２５とが配置されている。
【００３０】
また、導入管２４は、流量センサ２５の下流側で二つに分岐されており、それぞれ、電解槽２０内の隔膜２５ａにより、２室に区分された電極２６側の室と、電極２７側の室に接続されている。
【００３１】
電極２６側の室に接続された導入管２４には、導入管２４より供給される浄水の一部や電解槽２０内の滞留水を排出する排出管２８が接続されていて、この排出管２８内には、排出管２８内の流量を絞るオリフィス等からなる抵抗体２９が配置されている。
【００３２】
さらに、電極２７側の室に接続された導入管２４には、グリセロリン酸カルシウムや乳酸カルシウム等の電解補助剤を添加するための添加部３０が設けられており、この添加部３０の上部に設けられた蓋３１を取り外すことにより、必要に応じて電解補助剤を補充することができる。
【００３３】
そして、通常は電極２６がマイナス側であり、電極２７がプラス側であるために、電極２６側の室においては、アルカリイオン水が生成され、生成されたアルカリイオン水は、電極２６側の室の上部に接続された吐水管３２より、吐水管３２が接続された返送管１７を介して切替ユニット２へ返送される。
【００３４】
一方、電極２７側の室においては、酸性イオン水が生成され、生成された酸性イオン水は、電極２７側の室の上部に接続された排水管３３より、処理ユニット３外へ排水される。排水管３３には、上記排出管２８が接続されており、導入管２４より供給される浄水の一部や電解槽２０内の滞留水も、同様に排水管３３より処理ユニット３外へ排水されている。
【００３５】
次に、図２に示すように、操作部５は、切替ユニット２の前部に設けられた装着部６より着脱可能に構成されており、操作部５の両側部には、操作部５を装着部６に装着した際に、装着部６の内側の両側部に形成された溝３３ａに嵌め込まれて、操作部５が装着部６より脱落することを防止する突起３４と、操作部５を装着部６から取り外す際に、使用者の手の指等を引っ掛けることにより、取り外しを容易にする凸部３５とが設けられている。
【００３６】
装着部６の上側には、水路の種類が記載されるとともに切替レバー４に連動して回転し、切替えられた水路を操作部５の表示部１２に表示させる表示板３６が設けられている。
【００３７】
また、図３に示すように、操作部５の下側には、操作部５の電源となる電池（図示せず）を収納する収納部３７が設けられており、この収納部３７を操作部５から取り外すことにより、電池を交換することができる。
【００３８】
次に、図４に示すように、切替レバー４の切替え位置が下方に位置している場合、切替ユニット２は、原水を切替ユニット２の下部に設けられたストレート口１３より吐水する水路に切替えられており、このとき、切替レバー４の切替え位置が下方に位置していることから操作部５の両側部に設けられた凸部３５が露出しているため、使用者は、手の指等を凸部３５に引っ掛けることにより、操作部５を装着部６から容易に取り外すことができる。
【００３９】
一方、図５に示すように、切替レバー４の切替え位置が上方に位置している場合、切替ユニット２は、原水を上記ストレート口１３の周囲に設けられたシャワー口１４から吐水する水路に切替えられており、このときも、切替レバー４の切替え位置が上方に位置していることから操作部５の両側部に設けられた凸部３５が露出しているため、同様に使用者は、手の指等を凸部３５に引っ掛けることにより、操作部５を装着部６から容易に取り外すことができる。
【００４０】
また、切替レバー４の切替え位置が略水平に位置している場合、切替ユニット２は、原水を給水口１６より処理ユニット３へ給水する水路に切替えられており、このとき、操作部５の両側部に形成された凸部３５が、切替レバー４の内側に隠れていることから、使用者は、凸部３５に手の指等を引っ掛けることができず、このため、操作部５を装着部６から取り外すことが阻止されている。
【００４１】
次に、図６に示すように、切替ユニット２の水路が、原水をストレート口１３より吐水する水路に切替えられた場合は、切替ユニット２内に設けられた弁棒３８が、切替レバー４に連動して回転し、弁棒３８の中央側に設けられたカム３９が、中央側の弁体４０と、この弁体４０に取りつけられたスプリング４１とを押すことにより、ストレート口１３への通水路４２が開かれる。
【００４２】
また、図７に示すように、切替ユニット２の水路が、原水をシャワー口１４より吐水する水路に切替えられた場合は、切替ユニット２内に設けられた弁棒３８が、切替レバー４に連動して回転し、弁棒３８の側部側に設けられたカム３９が、側部側の弁体４０と、この弁体４０に取りつけられたスプリング４１とを押すことにより、シャワー口１４への通水路４２が開かれる。
【００４３】
さらに、図８に示すように、切替ユニット２の水路が、原水を処理ユニット３へ給水する水路に切替えられた場合は、切替ユニット２内に設けられた弁棒３８が、切替レバー４に連動して回転し、弁棒３８の上記と反対側の側部側に設けられたカム３９が、同様に上記反対側の側部側に配置された弁体４０と、この弁体４０に取りつけられたスプリング４１とを押すことにより、処理ユニット３への通水路４２が開かれる。
【００４４】
そして、図９に示すように、通水路４２より給水導入管４３に導入された原水は、給水導入管４３の先端に設けられた給水口１６より給水管７へ給水される。返送管１７より返送された処理水は、吐水導入管４４を介して吐水口１５より吐水される。
【００４５】
以上の構成において、本願発明の第１の実施形態における水処理装置の動作を図１から９を用いて説明する。
【００４６】
使用者が、切替ユニット２の切替レバー４を操作して、切替ユニット２に装着された、操作部５の表示部１２に表示される水路の種類を浄水に切替えると、切替ユニット２内に設けられた弁棒３８が、切替レバー４と連動して回転し、弁棒３８の側部側に配置されたカム３９が、側部側の弁体４０とスプリング４１を押すことで、処理ユニット３への通水路４２が開かれる。
【００４７】
このとき、切替レバー４の切替え位置は、図５に示すように略水平の位置となっており、操作部５の両側部に設けられた凸部３５は、切替レバー４の内側に隠れているために、操作部５を切替ユニット２の装着部６から取り外すことが阻止されている。
【００４８】
次に、操作部５に設けられたスイッチ１０により、所定の水質（ここでは例としてアルカリを選択）を設定すると、この設定内容が、操作部５の送信部１１から無線信号により送信される。
【００４９】
送信された無線信号は、処理ユニット３の受信部２２において受信され、処理ユニット３の制御部２１に送信される。上記設定内容を受信した制御部２１は、処理ユニット３において、設定された水質（この場合はアルカリイオン水）が生成されるよう、切替えを行う。
【００５０】
次に、使用者が水栓１を開くと、水栓１から切替ユニット２に供給された水道水等の原水が、上記通水路４２から給水導入路４３に流入し、この給水導入路４３の先端に設けられた給水口１６に接続された給水管７を介して、処理ユニット３に給水される。
【００５１】
処理ユニット３に供給された原水は、給水管７に接続された導入管２４より、浄水部１９に導入され、浄水部１９では、原水中の残留塩素やトリハロメタン等が活性炭で吸着された後、一般細菌や不純物等が中空糸膜により除去されることにより、原水が浄水処理される。
【００５２】
浄水部１９において、原水が浄水処理されることにより生成された浄水は、再び導入管２４を流れて流量センサ２５を通過するが、このとき、流量センサ２５において導入管２４を流れる浄水の流量が検知され、検知された流量が制御部２１に送信される。
【００５３】
流量センサ２５を通過した浄水は、流量センサ２５の下流側で、二つに分岐された導入管２４のそれぞれに導入され、一方の導入管２４を流れる浄水は、電解槽２０の電極２６側の室に流入するが、一部の浄水は、導入管２４に接続された排出管２８より、排水管３３に排水された後、処理ユニット３外に排水される。
【００５４】
上記排出管２８内には、排出管２８を流れる浄水の流量を規制するオリフィス等からなる抵抗体２９が配置されているため、排出管２８に排出される浄水の流量よりも、電極２６側の室に流入する浄水の流量の方が多くなるように設定されている。
【００５５】
また、他方の導入管２４を流れる浄水は、添加部３０において、グリセロリン酸カルシウムや乳酸カルシウム等の電解補助剤が添加された後、電極２７側の室に流入する。
【００５６】
浄水が流入した電極２６側の室においては、アルカリイオン水が生成され、電解補助剤が添加された浄水が流入した電極２７側の室においては、酸性イオン水が生成される。
【００５７】
そして、生成されたアルカリイオン水は、電極２６側の室に接続された吐水管３２へ流出し、この吐水管３２が接続された返送管１７を介して切替ユニット２へ返送され、酸性イオン水は、電極２７側の室に接続された排水管３３より、処理ユニット３外に排水される。
【００５８】
返送管１７より切替ユニット２に返送されたアルカリイオン水は、返送口１８より吐水導入管４４を介して、切替ユニット２の下部に設けられた吐水口１５より吐水される。
【００５９】
ここで上述したように、切替ユニット２の切替レバー４の切替え位置が略水平の位置となっているために、操作部５の両側部に設けられた凸部３５は、切替レバー４の内側に隠れている。
【００６０】
よって、操作部５を切替ユニット２の装着部６から取り外すことが阻止されていることから、操作部５を清掃する場合や、操作部５の電池を交換するために収納部３７から電池を取り出す際場合等に、操作部５を装着部６から取り外す際、使用者があらかじめ設定したスイッチ１０以外のスイッチ１０を、誤って押したりすること等による操作部５の誤操作を防止できるために、常時使用者が設定した水質の処理水（この場合はアルカリイオン水）が吐水口１５より吐水されている。
【００６１】
使用者が水栓１を閉じると、切替ユニット２から処理ユニット３への原水の給水が停止されるため、処理ユニット３の導入管２４に設けられた流量センサ２５が、導入管２４内を流れる浄水の通水が停止されたことを検知して制御部２１に送信し、制御部２１が、電解槽２０に印加した電解電圧を停止させることで、電解槽２０内でのアルカリイオン水および酸性イオン水の生成が停止される。
【００６２】
そして、原水の供給が停止されると、電解槽２０の電極２６側の室内の滞留水と、電極２６側の室に接続された導入管２４および吐水管３２内の滞留水が、排出管２８より排水管３３を介して処理ユニット３外に排水されて、水処理装置の運転が終了する。
【００６３】
一方、使用者が、切替ユニット２の切替レバー４を操作して、切替ユニット２に装着された、操作部５の表示部１２に表示される水路の種類をシャワーに切替えると、切替ユニット２内に設けられた弁棒３８が、切替レバー４と連動して回転し、弁棒３８の側部側に配置されたカム３９が、側部側の弁体４０とスプリング４１を押すことで、シャワー口１４への通水路４２が開かれる。
【００６４】
その際、切替レバー４の切替え位置は、図５に示すように上方の位置となっており、操作部５の両側部に設けられた凸部３５が露出しているため、使用者は、手の指等を凸部３５に引っ掛けることにより、操作部５を切替ユニット２の装着部６から取り外すことができる。
【００６５】
このとき、処理ユニット３は運転状態になく、切替ユニット２からも処理水が吐水されていないために、使用者があらかじめ設定したスイッチ１０以外のスイッチ１０を、誤って押した場合であっても、操作部５を誤操作したことにはならない。
【００６６】
また、操作部５を装着部６から取り外した後は、操作部５を清掃したり、操作部５の収納部３７より電池を交換することができる。操作部５を、再び装着部６に装着する場合は、操作部５の両側部に設けられた突起３４を、装着部６の内側の両側部に形成された溝３３ａに嵌め込むことにより、操作部５が装着部６より脱落することを防止することができる。
【００６７】
次に、使用者が水栓１を開くと、水栓１から切替ユニット２に供給された水道水等の原水が、上記通水路４２からシャワー口１４に導入され、シャワー口１４より吐水される。使用者が水栓１を閉じると、原水の供給が停止され、シャワー口１４からの吐水も停止する。
【００６８】
さらに、使用者が、切替ユニット２の切替レバー４を操作して、切替ユニット２に装着された、操作部５の表示部１２に表示される水路の種類を原水に切替えると、切替ユニット２内に設けられた弁棒３８が、切替レバー４と連動して回転し、弁棒３８の中央側に配置されたカム３９が、中央側の弁体４０とスプリング４１を押すことで、ストレート口１３への通水路４２が開かれる。
【００６９】
このとき、切替レバー４の切替え位置は、図４に示すように下方の位置となっており、操作部５の両側部に設けられた凸部３５が露出しているため、使用者は、手の指等を凸部３５に引っ掛けることにより、操作部５を切替ユニット２の装着部６から取り外すことができる。
【００７０】
このとき、処理ユニット３は運転状態になく、切替ユニット２からも処理水が吐水されていないために、使用者があらかじめ設定したスイッチ１０以外のスイッチ１０を、誤って押した場合であっても、操作部５を誤操作したことにはならない。
【００７１】
また、操作部５を装着部６から取り外した後は、操作部５の清掃や、操作部５の収納部３７より電池を交換することができる。操作部５を、再び装着部６に装着する場合は、操作部５の両側部に設けられた突起３４を、装着部６の内側の両側部に形成された溝３３ａに嵌め込むことにより、操作部５が装着部６より脱落することを防止することができる。
【００７２】
次に、使用者が水栓１を開くと、水栓１から切替ユニット２に供給された水道水等の原水が、上記通水路４２からストレート口１３に導入され、ストレート口１３より吐水される。使用者が水栓１を閉じると、原水の供給が停止され、ストレート口１３からの吐水も停止する。
【００７３】
以上のように本願発明の第１の実施形態によれば、切替ユニット２の切替レバー４の切替え位置が略水平、すなわち原水を処理ユニット３へ給水する水路に切替えられた場合は、操作部５の両側部に設けられた凸部３５が、切替レバー４の内側に隠れているために、使用者は操作部５を、切替ユニット２の装着部６から取り外すことが阻止されている。
【００７４】
このため、操作部５を清掃する場合や、操作部５の電池を交換するために収納部３７から電池を取り出す際場合等に、操作部５を装着部６から取り外す際、使用者があらかじめ設定したスイッチ１０以外のスイッチ１０を、誤って押したりすること等による操作部５の誤操作を防止できるために、常時使用者が設定した水質の処理水を供給できる水処理装置を提供することができる。
【００７５】
また、切替レバー４の位置が上方または下方にあるときは、操作部５の両側部に設けられた凸部３５が露出しているため、使用者は、手の指等を凸部３５に引っ掛けることにより、操作部５を切替ユニット２の装着部６から取り外すことができ、必要に応じて操作部５の清掃や、操作部５の収納部３７より電池の交換を行うことができる。
【００７６】
図１０は、本願発明の第２の実施形態である水処理装置を示している。ここでは、上記第１の実施形態と相違する事項についてのみ説明し、同様の構成や作用効果等を有するものについては上記第１の実施形態の説明を援用する。
【００７７】
本願発明の第２の実施形態が上記第１の実施形態と異なる部分は、図１０に示すように、操作部５の両側部に凸部３５と、装着部６の内側の両側部の溝３３ａとが設けられておらず、代わりに操作部５の下側に薄板形の磁石４５が取りつけられているところと、装着部６の操作部５と対向する場所に、上記磁石４５が吸着可能な、例えば鉄やニッケル等の金属等からなる、吸着板４６が設けられているところである。
【００７８】
さらに、操作部５の後部であって表示部１２の下側に、表示部１２の内側を清掃することができる清掃口４７が設けられている。
【００７９】
上記差異をふまえて、本願発明の第２の実施形態における水処理装置の動作について図４、５、１０を用いて説明する。
【００８０】
使用者が、切替ユニット２の切替レバー４を操作して、切替ユニット２に装着された、操作部５の表示部１２に表示される水路の種類を浄水に切替えた場合は、上記第１の実施形態の動作と同様である。
【００８１】
一方、使用者が、切替レバー４を操作して、操作部５の表示部１２に表示される水路の種類をシャワーに切替えた場合、上記第１の実施形態の動作と同様に、切替レバー４の切替え位置は、図５に示すように上方の位置となっており、操作部５の両側部に設けられた凸部３５が露出しているため、使用者は、手の指等を凸部３５に引っ掛けることにより、操作部５を切替ユニット２の装着部６から取り外すことができる。
【００８２】
このとき、操作部５は、操作部５の下側に取りつけられた薄板形の磁石４５が、装着部６の操作部５と対向する場所に設けられた吸着板４６に吸着することで、装着部６に装着されているために、容易に操作部５を切替ユニット２の装着部６から取り外すことができる。
【００８３】
その際に、処理ユニット３は運転状態になく、切替ユニット２からも処理水が吐水されていないために、使用者があらかじめ設定したスイッチ１０以外のスイッチ１０を、誤って押した場合であっても、操作部５を誤操作したことにはならない。
【００８４】
その際に、処理ユニット３は運転状態になく、切替ユニット２からも処理水が吐水されていないために、使用者があらかじめ設定したスイッチ１０以外のスイッチ１０を、誤って押した場合であっても、操作部５を誤操作したことにはならない。
【００８５】
また、操作部５を装着部６から取り外した後は、操作部５を清掃したり、操作部５の収納部３７より電池を交換することができるが、操作部５の後部に設けられた清掃口４７より、表示部１２の裏側についても清掃を行うことができる。よって、表示部１２に表示される切替ユニット２の水路の種類を、常時確実に確認することができる。
【００８６】
そして、操作部５を、再び装着部６に装着する場合は、操作部５を装着部６に載置するだけで、操作部５の下側に取りつけられた薄板形の磁石４５が、吸着板４６に吸着するために、きわめて容易に操作部５を装着部６に装着できるとともに、操作部５が装着部６より脱落することを防止することができる。
【００８７】
次に、使用者が水栓１を開くと、水栓１から切替ユニット２に供給された水道水等の原水が、上記通水路４２からシャワー口１４に導入され、シャワー口１４より吐水される。使用者が水栓１を閉じると、原水の供給が停止され、シャワー口１４からの吐水も停止する。
【００８８】
さらに使用者が、切替レバー４を操作して、操作部５の表示部１２に表示される水路の種類を原水に切替えた場合、上記第１の実施形態の動作と同様に、切替レバー４の切替え位置は、図４に示すように下方の位置となっており、操作部５の両側部に設けられた凸部３５が露出しているため、使用者は、手の指等を凸部３５に引っ掛けることにより、操作部５を切替ユニット２の装着部６から取り外すことができる。
【００８９】
このとき、操作部５は、操作部５の下側に取りつけられた薄板形の磁石４５が、装着部６の操作部５と対向する場所に設けられた吸着板４６に吸着することで、装着部６に装着されているために、容易に操作部５を切替ユニット２の装着部６から取り外すことができる。
【００９０】
また、操作部５を装着部６から取り外した後は、操作部５を清掃したり、操作部５の収納部３７より電池を交換することができるが、操作部５の後部に設けられた清掃口４７より、表示部１２の裏側についても清掃を行うことができる。よって、表示部１２に表示される切替ユニット２の水路の種類を、常時確実に確認することができる。
【００９１】
そして、操作部５を、再び装着部６に装着する場合は、操作部５を装着部６に載置するだけで、操作部５の下側に取りつけられた薄板形の磁石４５が、吸着板４６に吸着するために、きわめて容易に操作部５を装着部６に装着できるとともに、操作部５が装着部６より脱落することを防止することができる。
【００９２】
次に、使用者が水栓１を開くと、水栓１から切替ユニット２に供給された水道水等の原水が、上記通水路４２からストレート口１３に導入され、ストレート口１３より吐水される。使用者が水栓１を閉じると、原水の供給が停止され、ストレート口１３からの吐水も停止する。
【００９３】
以上のように本願発明の第２の実施形態によれば、操作部５の下側に取りつけられた薄板形の磁石４５と、装着部６の操作部５と対向する場所に設けられた吸着板４６により、きわめて容易に操作部５を装着部６に装着できるとともに、操作部５が装着部６より脱落することを防止することができる。また、操作部５の装着部６からの取り外しについても容易に行うことができる。
【００９４】
また、操作部５の後部に設けられた清掃口４７により、操作部５を装着部６から取り外した際に、表示部１２の裏側についても清掃を行うことができるため、表示部１２に表示される切替ユニット２の水路の種類を、常時確実に確認することができる。
【００９５】
図１１は、本願発明の第３の実施形態である水処理装置を示している。ここでは、上記第１の実施形態と相違する事項についてのみ説明し、同様の構成や作用効果等を有するものについては上記第１の実施形態の説明を援用する。
【００９６】
本願発明の第３の実施形態が上記第１の実施形態と異なる部分は、図１１に示すように、切替ユニット２の装着部６が有底の凹所として形成されており、その装着部６の底部４９が、電池４８の収納部３７が設けられた操作部５の下側と対向しているため、切替ユニット２の下方から飛散してきた水が、収納部３７に被水しないようにされているところである。
【００９７】
また、収納部３７が、操作部５の下側に設けられているために、切替ユニット２の上方から飛散してきた水についても、収納部３７に被水しないようにされている。
【００９８】
上記差異をふまえて、本願発明の第３の実施形態における水処理装置の動作について図１１を用いて説明する。
【００９９】
使用者が、切替ユニット２の切替レバー４を操作して、切替ユニット２に装着された、操作部５の表示部１２に表示される水路の種類を浄水に切替えてから、処理ユニット３において生成された処理水が、切替ユニット２の下部に設けられた吐水口１５より吐水されるまでは、上記第１の実施形態の動作と同様である。
【０１００】
このとき、吐水口１５より吐水された処理水が、流し台のシンクやシンク内に置かれた食器等に当たって跳ね返ることにより、切替ユニット２の下方より切替ユニット２に飛散したとしても、装着部６の底部４９によって、操作部５の下側に設けられた電池４８の収納部３７が被水することがない。
【０１０１】
また、収納部３７が、操作部５の下側に設けられているために、切替ユニット２の上方から飛散してきた水についても、収納部３７に被水しないようにされている。よって、収納部３７の防水性を高めることができる。
【０１０２】
そして、切替ユニット２の切替レバー４の切替え位置が略水平の位置となっているために、操作部５の両側部に設けられた凸部３５は、切替レバー４の内側に隠れている。
【０１０３】
よって、操作部５を切替ユニット２の装着部６から取り外すことが阻止されていることから、操作部５を清掃する場合や、操作部５の電池を交換するために収納部３７から電池を取り出す際場合等に、操作部５を装着部６から取り外す際、使用者があらかじめ設定したスイッチ１０以外のスイッチ１０を、誤って押したりすること等による操作部５の誤操作を防止できるために、常時使用者が設定した水質の処理水（この場合はアルカリイオン水）が吐水口１５より吐水されている。
【０１０４】
使用者が水栓１を閉じて、切替ユニット２から処理ユニット３への原水の給水が停止された以降の動作については、上記第１の実施形態の動作と同様である。
【０１０５】
さらに、原水が、切替ユニット２のストレート口１３やシャワー口１４から吐出される場合についても、上記装着部６の底部４９によって、切替ユニット２の下方から飛散してきた水が、収納部３７に被水しないようにされているとともに、収納部３７が、操作部５の下側に設けられており、切替ユニット２の上方から飛散してきた水についても、収納部３７に被水しないようにされているために、収納部３７の防水性を高めることができる。
【０１０６】
以上のように本願発明の第３の実施形態によれば、切替ユニット２の装着部６を有底の凹所として形成し、その装着部６の底部４９が、電池４８の収納部３７が設けられた操作部５の下側と対向しているため、切替ユニット２の下方から飛散してきた水が、収納部３７に被水しないようにされている。
【０１０７】
また、収納部３７が、操作部５の下側に設けられているために、切替ユニット２の上方から飛散してきた水についても、収納部３７に被水しないようにされている。よって、収納部３７の防水性を高めることができる。
【０１０８】
なお、上記本願発明の実施形態においては、処理ユニット３で生成される処理水について、アルカリイオン水のみを示しているが、上記処理ユニット３においては、電極２６をプラス側としたときに、電極２６側の室で生成される酸性イオン水や、浄水部１９において浄化処理を行った後、電解槽２０で電気分解を行わずに生成される、いわゆる浄水も供給することができる。
【０１０９】
また、処理ユニット３内に、原水にミネラルを添加して、ミネラル水を生成するミネラル添加部や、イオン交換樹脂等からなり、軟水を生成する軟水生成部、または、同様にイオン交換樹脂等からなり、原水中の硝酸体窒素を除去する硝酸体窒素除去部等を設けるようにしてもよい。
【０１１０】
さらに、処理ユニット３は流し台上に設置してもよいし、処理ユニット３を流し台内に設置する、いわゆるビルトインタイプとしてもよい。
【０１１１】
そして、無線信号の種類についても特に示していないが、赤外線や超音波、または弱い電波等を無線信号として使用すればよい。
【０１１２】
また、上記本願発明の第２の実施形態において、吸着板４６の材料としては、鉄やニッケル等の金属としているが、磁石４５を吸着板４６に用いてもよい。この場合、操作部５に設けられた磁石４５の表面の磁極と、吸着板４６の表面の磁極とを、異なる磁極とすることにより、磁石４５を吸着板４６に吸着させることができる。
【図面の簡単な説明】
【０１１３】
【図１】本願発明の第１の実施形態である水処理装置の構成を示す側面図。
【図２】（ａ）同水処理装置における操作部の斜視図。（ｂ）同水処理装置における切替ユニットの斜視図。
【図３】同水処理装置における切替ユニットの底面図。
【図４】同水処理装置における切替ユニットの側面図（切替レバーが下方に位置した場合）。
【図５】同水処理装置における切替ユニットの側面図（切替レバーが上方または略水平に位置した場合）
【図６】同水処理装置における切替ユニットの上断面図（水路がストレート口へ切替えられた場合）。
【図７】同水処理装置における切替ユニットの上断面図（水路がシャワー口へ切替えられた場合）。
【図８】同水処理装置における切替ユニットの上断面図（水路が処理ユニットへ切替えられた場合）。
【図９】同水処理装置における切替ユニットの給水導入管および吐水導入管の側断面図。
【図１０】（ａ）本願発明の第２の実施形態である水処理装置の操作部の斜視図。（ｂ）同水処理装置における切替ユニットの斜視図。
【図１１】本願発明の第３の実施形態である水処理装置の切替ユニットの側断面図。
【符号の説明】
【０１１４】
１  水栓
２  切替ユニット
３  処理ユニット
４  切替レバー
５  操作部
６  装着部
１２  表示部
３５  凸部（手掛け部）
３７  収納部
４５  磁石
４６  吸着板
４７  清掃口
４９  底部
【図１】
0004613834.tif 000002
【図２】
0004613834.tif 000003
【図３】
0004613834.tif 000004
【図４】
0004613834.tif 000005
【図５】
0004613834.tif 000006
【図６】
0004613834.tif 000007
【図７】
0004613834.tif 000008
【図８】
0004613834.tif 000009
【図９】
0004613834.tif 000010
【図１０】
0004613834.tif 000011
【図１１】
0004613834.tif 000012